(57)【特許請求の範囲】
【請求項１】
浴槽から洗い場の壁に沿って横設され、洗面器を載せることのできる載置面が形成されてなる浴室用洗面器台において、前記載置面には、前記壁側へ下り勾配をなし洗面器の底が接する山部と、前記洗い場側へ下り勾配をなし、洗い場側へ排水を導く排水溝の役目をなす排水用の谷部とが交互に複数設けられ、該谷部は洗い場側まで達していることを特徴とする浴室用洗面器台。
【請求項２】
浴槽から洗い場の壁に沿って横設され、洗面器を載せることのできる載置面が形成されてなる浴室用洗面器台において、前記載置面には、前記洗面器の底が接する水平な山部と、前記洗い場側へ下り勾配をなし、洗い場側へ排水を導く排水溝の役目をなす排水用の谷部とが交互に複数設けられ、該谷部は洗い場側まで達していることを特徴とする浴室用洗面器台。
【発明の詳細な説明】
【技術分野】
【０００１】
本発明は、浴室に設置されて洗面器を載せることのできる洗面器台に関するものである。
【背景技術】
【０００２】
従来、特許文献１に開示されているように、洗い場側へ向かって下傾した水勾配が上面に形成された洗面器台が存在する。
また、特許文献２に開示されているように、洗い場側へ向けて上昇傾斜する水勾配が形成され、外周側に排水用の排水案内流路を形成した洗い場側カウンターが存在する。
【特許文献１】特開平１１−３１８７４５号公報
【特許文献２】特開平１１−１０１０１０号公報
【発明の開示】
【発明が解決しようとする課題】
【０００３】
前記特許文献１に開示された構成では、洗面器が洗い場側へ移動し易いという問題点があった。
なお、前記特許文献２に開示された構成では、洗面器の洗い場側への落下を防ぐことができるが、洗面器を載置する載置面の周囲に排水案内流路を形成させる必要があり、意匠性等が損なわれてしまうという問題点があった。
【課題を解決するための手段】
【０００４】
本発明は上記従来の問題点に鑑み案出したものであって、洗面器の落下を良好に防ぐことができ、しかも意匠性に優れて、排水も良好に行える浴室用洗面器台を提供せんとするものであり、請求項１は、浴槽から洗い場の壁に沿って横設され、洗面器を載せることのできる載置面が形成されてなる浴室用洗面器台において、前記載置面には、前記壁側へ下り勾配をなし、洗面器の底が接する山部と、前記洗い場側へ下り勾配をなし、洗い場側へ排水を導く排水溝の役目をなす排水用の谷部とが交互に複数設けられ、該谷部は洗い場側まで達していることである。
【０００５】
また、請求項２は、浴槽から洗い場の壁に沿って横設され、洗面器を載せることのできる載置面が形成されてなる浴室用洗面器台において、前記載置面には、前記洗面器の底が接する水平な山部と、前記洗い場側へ下り勾配をなし、洗い場側へ排水を導く排水溝の役目をなす排水用の谷部とが交互に複数設けられ、該谷部は洗い場側まで達していることである。
【発明の効果】
【０００６】
本発明は、浴室用洗面器台の載置面には、壁側へ下り勾配をなし、洗面器の底が接する山部と、洗い場側へ下り勾配をなし、洗い場側へ排水を導く排水溝の役目をなす排水用の谷部とが交互に複数設けられ、該谷部は洗い場側まで達していることにより、洗面器の底が接する山部は壁側へ下り勾配であるため、洗面器台上に溢れた水等により、洗面器が動いた場合でも洗面器は壁側へ移動するため、洗面器の洗い場側への落下を良好に防ぐことができるものとなる。
また、洗い場側へ下り勾配をなし洗い場側まで達した谷部が形成されているため、この谷部を通して排水を良好に洗い場側へ排出することができるものとなる。
【０００７】
また、浴室用洗面器台の載置面には、洗面器の底が接する水平な山部と、洗い場側へ下り勾配をなし、洗い場側へ排水を導く排水溝の役目をなす排水用の谷部とが交互に複数設けられ、該谷部は洗い場側まで達していることにより、洗面器が載置される山部は水平であるため、洗面器の洗い場側への落下がなくなり、また、排水は良好に谷部を通し洗い場側へ排出することができるものとなり、意匠性にも優れた洗面器台となる。
【実施例】
【０００８】
以下、本発明の実施例を図面に基づいて説明する。
図１は、浴室内に設けられた洗面器台の斜視構成図である。
浴室１内に設置されている浴槽２から、洗い場３側の壁４に沿って横方向にカウンター５が設置されており、このカウンター５には水栓６が設けられている。また、カウンター５の下方には、カウンター５と平行状に、浴槽２から壁４に沿って洗面器台７が横設されており、この洗面器台７の前記水栓６の下方部位には、洗面器１５を載せることのできる載置面８が形成されている。なお、洗面器台７の上面後部には、壁４に当接する立上片１０が一体形成されている。
【０００９】
図２の斜視図で示すように、洗面器台７の載置面８の左右側は、横方向へ延びるカウンター面９，９となっており、このカウンター面９，９には、洗い場３側へ１／５０程度の下り勾配が形成されている。
洗面器台７の載置面８には、山部１１と谷部１２が交互に複数形成されており、各山部１１の上面に洗面器１５の底が接した状態で洗面器１５が載せられるものであり、各山部１１は、立上片１０側、即ち壁４側へ下り勾配をなすように形成され、各谷部１２は、洗い場３側へ下り勾配をなすように形成されており、この各谷部１２が洗い場３側へ排水を導く排水溝の役目をなすように構成されている。
【００１０】
図３の平面拡大図で示すように、各山部１１の幅長は、例えば３２〜１９mm程度に設定されており、また各谷部１２の幅長は、７〜１５mm程度に設定されている。
また、図４の側面断面拡大構成図で示すように、各山部１１の壁４側へ向かう下り勾配は１／１００〜１／５０程度の勾配に設定されており、また各谷部１２の洗い場側へ向かう下り勾配は、１／５０程度に設定されている。
【００１１】
また、図５の拡大断面図で示すように、各山部１１の上面には多数のシボ突起１３，１３が間隔をおいて上方へ向けて突出形成されており、多数のシボ突起１３により、洗面器１５の移動が防がれるように構成されている。
なお、洗面器台７における載置面８は、段部８ａ，８ａから凹ませて、載置面８全体をカウンター面９よりも下方へ凹み状に形成させても良い。
【００１２】
このような構成においては、例えば浴槽２内の湯が洗面器台７上に溢れ出たような場合に、溢れ出た水により洗面器１５が浮き上がって移動しようとするが、この場合、載置面８の各山部１１が壁４側へ下り勾配をなしているため、洗面器１５は壁４側へ移動し、壁４側で保持されることとなるため、水が溢れ出たような場合でも、洗面器１５が洗い場３側へ落下することがなくなる。
【００１３】
また、各谷部１２が洗い場３側へ下り勾配をなしているため、溢れた水は谷部１２を通して洗い場３側へ良好に排水されるものとなる。
なお、図５に示すように、山部１１から谷部１２に連続する部分は、傾斜角αが２０℃程度に設定されており、各山部１１上の水を良好に谷部１２内に流出させて、谷部１２を通し洗い場３側へ排水できるように構成されている。
【００１４】
なお、図６の変更例で示すように、各山部１１の洗い場３側の端部に、上方へ向かって急傾斜で突出する脱落防止突部１４を形成させておけば、洗面器１５が移動した場合でも、この脱落防止突部１４で洗い場３側への脱落を完全に防ぐことができるものとなる。
なお、この図６の場合は、各山部１１は、下り勾配の無い水平な山部に設定しておくことができるものである。
なお、図４の山部１１においても、ほぼ水平状をなす山部に設定して、洗面器台７の意匠性を高めることができるものとなる。
【００１５】
なお、洗面器台７の載置面８を、図７の要部拡大図で示すような形状に形成することができる。
即ち図７では、載置面８に、複数の小判形の山部を上方へ向けて突出形成させたものであり、洗い場３側の小判形山部１６ａは最も高さが高く、順次壁４側に向かって高さが次第に低くなるように、小判形山部１６ｂ，１６ｃが配置され、壁４側には最も高さの低い小判形山部１６ｄが配置されたものである。
この各小判形山部１６ａ，１６ｂ，１６ｃ，１６ｄの上面は、全体として壁４側へ向かう１／１００〜１／５０程度の下り勾配をなすように設定されている。
また、各小判形山部１６ａ，１６ｂ，１６ｃ，１６ｄ間の谷部１２は、洗い場３側へ下
り勾配をなすように設定されている。
【００１６】
このような構成においても、各小判形山部１６ａ，１６ｂ，１６ｃ，１６ｄの上面に洗面器１５の底が接して載置されることとなり、水が溢れ出たような場合でも、洗面器１５は壁４側へ移動されて、洗い場３側へ落下することがないものとなる。
また、排水は良好に谷部１２を通って洗い場３側へ排水されることとなり、載置面８に複数の小判形山部１６ａ，１６ｂ，１６ｃ，１６ｄが配置された斬新な洗面器台７となる。
なお、各山部１６ａ，１６ｂ，１６ｃ，１６ｄは小判形に限らず、菱形等の他の形状をなすものであっても良い。
【図面の簡単な説明】
【００１７】
【図１】浴室内に設置された洗面器台の斜視構成図である。
【図２】洗面器台の斜視構成図である。
【図３】洗面器台の平面要部拡大構成図である。
【図４】載置面の山部と谷部との関係を示す側面断面構成図である。
【図５】山部と谷部の要部を拡大して示す縦断面構成図である。
【図６】山部の端部に脱落防止突部を形成させた場合の変更例の側面断面構成図である。
【図７】更に異なる小判形の山部を複数形成した場合の載置面の要部拡大斜視構成図である。
【符号の説明】
【００１８】
１  浴室
２  浴槽
３  洗い場
４  壁
６  水栓
７  洗面器台
８  載置面
９  カウンター面
１１  山部
１２  谷部
１３  シボ突起
１４  脱落防止突部
１５  洗面器
１６ａ，１６ｂ，１６ｃ，１６ｄ  小判形山部
【図１】
0004739683.tif 000002
【図２】
0004739683.tif 000003
【図３】
0004739683.tif 000004
【図４】
0004739683.tif 000005
【図５】
0004739683.tif 000006
【図６】
0004739683.tif 000007
【図７】
0004739683.tif 000008